(57)【要約】【課題】  被検者の耳腔内にプローブを的確かつ容易に挿入することが可能な耳式体温計を提供する。【解決手段】  耳式体温計１００であって、中空の筒状体によって形成され、前記耳腔内に挿入されるプローブ１０１と、測定者の指に装着するための装着機能１０６〜１０８を有し、該装着機能１０６〜１０８を用いて該測定者の指に装着した場合に、前記プローブ１０１の支持位置が、該測定者の手指末節部の手掌面に対向する位置となるように、前記プローブ１０１を支持する装着部１０２、１０４とを備え、前記プローブ１０１は、その底部が、弾性部材を介して支持されることで、前記装着部１０２に固定されていることを特徴とする。【選択図】  図１
2012073096.tif 000002
【特許請求の範囲】
【請求項１】
環境温度を検出する温度検出素子と、被検者の耳腔内の温度測定部位から放射される赤外線を検出することで該温度測定部位の相対温度を検出する赤外線検出素子とを備え、該温度検出素子により検出された環境温度と該赤外線検出素子により検出された相対温度とを用いて、被検者の体温を測定する耳式体温計であって、
中空の筒状体によって形成され、前記耳腔内に挿入されるプローブと、
測定者の指に装着するための装着機能を有し、該装着機能を用いて該測定者の指に装着した場合に、前記プローブの支持位置が、該測定者の手指末節部の手掌面に対向する位置となるように、前記プローブを支持する装着部と、を備え、
前記プローブは、その底部が、弾性を有する部材を介して支持されることで、前記装着部に固定されていることを特徴とする耳式体温計。
【請求項２】
前記プローブは、前記装着部に設けられた開口部より突出するように配されており、該プローブの底部は、該開口部内において前記装着部に固定されていることを特徴とする請求項１に記載の耳式体温計。、
【請求項３】
前記装着部は、前記測定者の指に装着された場合に、該測定者の指の先端から該測定者の第２関節までの間におさまるように構成されていることを特徴とする請求項２に記載の耳式体温計。
【請求項４】
前記装着部は、測定した前記被検者の体温を表示する表示部を更に備え、該表示部は、前記装着部上であって、前記プローブが突出する側と同じ側の面を形成する第１の面上に配置されていることを特徴とする請求項３に記載の耳式体温計。
【請求項５】
前記装着機能は、前記装着部の側面を形成する第２の面上から延設された装着帯であって、前記第１の面に対向する第３の面上に、前記測定者の指が載置された場合に、該指の外周面に対して周方向に巻くことで、該指を該第３の面上に固定する装着帯により実現されることを特徴とする請求項４に記載の耳式体温計。
【請求項６】
前記第３の面上には、前記測定者の指が載置された場合に、該指の先端部の位置を規定する規定部材が設けられていることを特徴とする請求項５に記載の耳式体温計。
【発明の詳細な説明】
【技術分野】
【０００１】
本発明は、耳式体温計に関するものである。
【背景技術】
【０００２】
従来より、耳腔内にプローブを挿入し、鼓膜またはその周辺の温度を検出することで、被検者の体温を測定する耳式体温計が実用化されている。
【０００３】
耳式体温計は、一般に、環境温度を検出する温度検出素子（例えば、サーミスタ）と、耳腔内の温度測定部位（鼓膜またはその周辺）から放射される赤外線を検出する赤外線検出素子（例えば、冷接点と温接点とからなるサーモパイル）とを備えており、それぞれの検出素子の検出温度に基づいて、被検者の体温を算出する構成となっており、他の方式の体温計と比較して、体温の測定を短時間で高精度に行うことができるという利点を備えている。
【先行技術文献】
【特許文献】
【０００４】
【特許文献１】特開２００８−２４１３６２号公報
【発明の概要】
【発明が解決しようとする課題】
【０００５】
しかしながら、耳式体温計の場合、耳腔内にプローブが的確に挿入されず（つまり、適切な測定状態を確保できず）、耳腔内の温度測定部位から放射される赤外線を適切に検出できなかった場合に、測定誤差が大きくなるという問題がある。特に、乳幼児等のように、一定時間、静止させておくことが困難であり、かつ測定者による支えなどが必要な被検者の場合には、このような問題が顕著になる。
【０００６】
これに対して、従来の耳式体温計は、例えば、図８に示すように、測定者または被検者自身が、本体部下方を支持しながら測定を行うことを前提としていたため、耳腔内への挿入において、プローブ部の先端を高精度に位置合わせすることが必ずしも容易ではなかった。また、本体部の支持において片方の手が完全に塞がるため、乳幼児等のように、測定に際して測定者が手で支える必要がある被検者の場合には、高精度な測定がより困難なものとなっていた。
【０００７】
本発明は上記課題に鑑みてなされたものであり、被検者の耳腔内にプローブ部を的確かつ容易に挿入することが可能な耳式体温計を提供することを目的とする。
【課題を解決するための手段】
【０００８】
上記の目的を達成するために、本発明に係る耳式体温計は以下のような構成を備える。即ち、
環境温度を検出する温度検出素子と、被検者の耳腔内の温度測定部位から放射される赤外線を検出することで該温度測定部位の相対温度を検出する赤外線検出素子とを備え、該温度検出素子により検出された環境温度と該赤外線検出素子により検出された相対温度とを用いて、被検者の体温を測定する耳式体温計であって、
中空の筒状体によって形成され、前記耳腔内に挿入されるプローブと、
測定者の指に装着するための装着機能を有し、該装着機能を用いて該測定者の指に装着した場合に、前記プローブの支持位置が、該測定者の手指末節部の手掌面に対向する位置となるように、前記プローブを支持する装着部と、を備え、
前記プローブは、その底部が、弾性を有する部材を介して支持されることで、前記装着部に固定されていることを特徴とする。
【発明の効果】
【０００９】
本発明によれば、被検者の耳腔内にプローブ部を的確かつ容易に挿入することが可能な耳式体温計を提供することが可能となる。
【図面の簡単な説明】
【００１０】
【図１】本発明の第１の実施形態に係る耳式体温計１００の外観構成を示す図である。
【図２Ａ】耳式体温計１００の正面図及び側面図である。
【図２Ｂ】耳式体温計１００のプローブ部の側面の断面構成を示す図である。
【図３】測定者が耳式体温計１００を装着した様子を示す図である。
【図４】耳式体温計１００を用いて体温測定を行う様子を示した図である。
【図５】耳式体温計１００の検出素子収納体の構成を示す図である。
【図６】耳式体温計１００全体の機能構成を示す図である。
【図７】耳式体温計１００における体温測定処理の流れを示すフローチャートである。
【図８】従来の耳式体温計の外観構成を示す図である。
【発明を実施するための形態】
【００１１】
以下、本発明の各実施形態について図面を参照しながら説明する。
【００１２】
［第１の実施形態］
１．耳式体温計の外観構成
はじめに、本発明の第１の実施形態に係る耳式体温計１００の外観構成について説明する。図１は、本発明の第１の実施形態に係る耳式体温計１００の外観構成を示す図である。
【００１３】
図１において、１０１はプローブ部であり、耳腔内の温度測定部位（好ましくは鼓膜及び／又はその周辺）から放射される赤外線を検出するために耳腔内（外耳道）に挿入される。プローブ部１０１は、耳腔内への挿入が可能となるよう、先端の外径寸法が約７ｍｍの筒状形状となっている。
【００１４】
１０２はプローブ支持部であり、一方の面に設けられた開口部よりプローブ部１０１が突出するようにしてプローブ部１０１を支持する。また、当該一方の面に対向する面１１１には、指固定壁１０３が設けられており、耳式体温計１００を測定者の指に装着した際の、当該指のＸ軸方向（プラス方向及びマイナス方向）及びＹ軸方向（マイナス方向）の位置を規定している。
【００１５】
なお、プローブ支持部１０２の面１１１のＹ軸方向の長さは、概ね、測定者の指の先端から第１関節付近までの長さとなっており、面１１１上であって、プローブ部１０１を支持する支持位置に対向する位置に、測定者の指の腹（指紋がある部分。手指末節部の手掌面側の部分）が接触するよう構成されている。これにより、プローブ部１０１の先端を被検者の耳腔内に挿入した際に、プローブ部１０１の先端が耳壁に接触する感覚を、測定者は指先で敏感に感じ取ることが可能となる。
【００１６】
１０４は耳式体温計１００全体を制御する固定部であり、プローブ支持部１０２の面１１１と同一平面を形成する面１１２を有しており、耳式体温計１００が測定者の指に装着された際に、測定者の指の第１関節よりも根元側の部分が接触するよう構成されている。なお、本実施形態における耳式体温計１００では、固定部１０４のＹ軸方向の長さが、概ね、測定者の指の第１関節から第２関節までの長さとなるように構成されているものとする。これにより、測定者は第２関節で指を折り曲げる動作を自由に行うことができ、耳式体温計１００を被検者の耳腔内に挿入した際に、指先で微小角度の調整を行うことができるようになる。つまり、プローブ部１０１の先端の位置合わせを高精度に行うことが可能となる。
【００１７】
なお、固定部１０４の面１１２には、指固定壁１０５が設けられており、耳式体温計１００を測定者の指に装着した際の、当該指のＸ軸方向（プラス方向及びマイナス方向）の位置を規定している。
【００１８】
また、固定部１０４の側面には、測定者の指に巻かれる装着帯１０６、１０８が設けられており、プローブ支持部１０２の面１１１及び固定部１０４の面１１２に測定者の指が載置された状態で、該測定者の指に装着帯１０６を巻き、その先端の装着リング１０７に、装着帯１０８を通したうえで、Ｘ軸方向（マイナス方向）に引っ張ることにより、測定者の指を耳式体温計１００に安定して固定することができる（つまり、装着帯１０６、１０８、装着リング１０７は、耳式体温計１００を測定者の指に装着するための装着機能を実現するものであり、当該装着機能により装着されるプローブ支持部１０２及び固定部１０４は、一体で、装着部としての役割を果たす）。
【００１９】
なお、装着帯１０６及び装着帯１０８にはそれぞれ、雄型の面ファスナーと雌型の面ファスナーとが備えられており（不図示）、装着帯１０８をＸ軸方向（マイナス方向）に引っ張った状態で、装着帯１０８を装着帯１０６に罫着固定できるように構成されている。
【００２０】
２．耳式体温計１００の正面及び側面の構成
次に、耳式体温計１００の正面及び側面の構成について説明する。図２Ａ（ａ）は、耳式体温計１００の正面図であり、図２Ａ（ｂ）は、耳式体温計１００の側面図である。
【００２１】
図２Ａ（ａ）に示すように、固定部１０４の面１１２と対向する面２０６上（プローブ部１０１が突出している側の面と同じ側の面）には、表示部２０１が設けられており、測定された被検者の体温を表示する。また、面２０６上には、電源スイッチ２０２が設けられており、押圧操作により耳式体温計１００の電源のＯＮ／ＯＦＦを制御することができる。
【００２２】
また、図２Ａ（ｂ）に示すように、固定部１０４の側面には、測定開始スイッチ２０３が設けられており、電源がＯＮとなった状態で押圧操作されることで、測定の開始を指示することができる。２０４はスピーカであり、測定開始スイッチ２０３が押圧操作された場合や、体温測定が終了した場合等に、音声を出力する。２０５はＬＥＤ素子であり、耳式体温計１００の内部状態に対応して点灯が制御される。
【００２３】
３．耳式体温計１００のプローブ部の取付構成
次に、耳式体温計１００のプローブ部１０１のプローブ支持部１０２に対する取付構成について説明する。図２Ｂは、プローブ部１０１及びプローブ支持部１０２の側面の断面構成を示す図である。以下、図２Ｂの断面構成を示す図を用いて、プローブ部１０１のプローブ支持部１０２に対する取付構成について説明する。
【００２４】
図２Ｂ（ａ）に示すように、プローブ部１０１は、中空筒状体のプローブハウジング２１２と、プローブハウジング２１２の底部を形成するプローブ底部２１３とを備え、プローブハウジング２１２内には、検出素子収納体２１４（詳細は後述）が固定された構成となっている。
【００２５】
そして、プローブ底部２１３は、基台２１７に取り付けられた支持部材２１５により、その中心位置が支持されている。つまり、プローブハウジング２１２は、プローブ支持部１０２に設けられた開口部２１１内において、支持部材２１５を介して、プローブ支持部１０２に取り付けられている。
【００２６】
なお、支持部材２１５は、検出素子収納体２１４から延びる電極リード（不図示）をプローブ支持部１０２内の接点（不図示）に接続するための接続部２１６を取り囲むようにして配置されている。
【００２７】
ここで、本実施形態の耳式体温計１００では、支持部材２１５は弾性を有しているものとする。このため、プローブハウジング２１２に対して、Ｙ軸方向（プラス方向及びマイナス方向）及びＸ軸方向（プラス方向及びマイナス方向）の力が加わった場合、支持部材２１５は弾性変形し、プローブハウジング２１２の外周面が、プローブ支持部１０２の開口部２１１を形成する周縁部に接触するまで、プローブ部１０１は傾くこととなる。
【００２８】
図２Ｂ（ｂ−１）〜（ｂ−３）は、プローブハウジング２１２に対して、Ｙ軸方向に力が加わることで、支持部材２１５が弾性変形し、プローブ部１０１が傾いた様子を示している。
【００２９】
図２Ｂに示すように、支持部材２１５の薄肉部位２２０は、他の部位と比較して薄肉構造となっているため、プローブハウジング２１２に対して、Ｙ軸方向に力が加わると、薄肉部位２２０において支持部材２１５は弾性変形する。
【００３０】
（ｂ−１）は、プローブハウジング２１２に対して、Ｙ軸のマイナス方向に力が加わった様子を、（ｂ−３）は、プローブハウジング２１２に対して、Ｙ軸のプラス方向に力が加わった様子をそれぞれ示している。また、（ｂ−２）は、プローブハウジング２１２に加わっていた力がなくなり、支持部材２１５の弾性により傾いていたプローブ部１０１が元に戻った様子を示している。なお、支持部材２１５の薄肉部位２２０は、円周方向に形成されているため、プローブハウジング２１２に対して、Ｘ軸方向に力が加わった場合にも、同様に、プローブ部１０１が傾くこととなる。
【００３１】
このように、プローブ部１０１が、外部からの力によって、微小角度だけ傾く構成とすることで、被検者の耳孔内へのプローブ部１０１の先端の挿入に際して、プローブ部１０１が耳孔内の側壁に接触した場合であっても、当該接触によりプローブ部１０１に加わった力により、プローブ部１０１は傾くこととなる。
【００３２】
つまり、被検者の耳孔の開口方向に対して、測定者によるプローブ部１０１の先端の挿入方向がずれていたとしても、プローブ部１０１が、被検者の耳孔の開口方向に沿って傾くこととなり、結果、測定者は、耳式体温計１００を被検者の耳孔内に正しく固定することが可能となる。
【００３３】
４．耳式体温計１００の装着状態
次に測定者が耳式体温計１００を装着した状態について図３を参照しながら説明する。図３に示すように、測定者の指の先端部が指固定壁１０３に接触することで、測定者の指のＹ軸方向（マイナス方向）及びＸ軸方向（プラス方向及びマイナス方向）の位置が規定される。
【００３４】
また、装着帯１０６の先端に設けられた装着リング１０７に装着帯１０８が通され、装着帯１０８がＸ軸方向（マイナス方向）に引っ張られることで、測定者の指の第１関節と第２関節の間の部分が、固定部１０４に固定される。
【００３５】
上述したように、耳式体温計１００が測定者の指に装着された状態では、測定者は指の第２関節を折り曲げることができ、これにより、被検者の耳腔内へのプローブ部１０１の挿入に際して、測定者はプローブ部１０１の先端の位置を微調整することができる。
【００３６】
また、測定者の指の腹が、プローブ支持部１０２の面１１１上であって、プローブ支持部１０２がプローブ部１０１を支持する支持位置に対向する位置において面１１１に接触するため、測定者は、プローブ部１０１の先端が耳壁に接触する感覚を、指先で敏感に感じ取ることができる。
【００３７】
なお、図３に示すように、耳式体温計１００は、測定者のいずれかの指（通常は、人指し指）に安定して固定されるため、測定者は、被検者の体温測定に際して、耳式体温計１００が装着された指以外の指を、自由に使うことができる。
【００３８】
５．耳式体温計１００による体温測定
次に測定者が耳式体温計１００を装着して、被検者の体温測定を行う様子を図４を参照しながら説明する。図４に示すように、耳式体温計１００を測定者の右手の人差し指に装着した場合、右手人差し指以外の指は自由に使うことができる。このため、測定者は、被検者の顔を両手（左手のすべての指と、右手の人差し指以外の指と）で、押えることができる。
【００３９】
このように、本実施形態に係る耳式体温計１００によれば、測定に際して、被検者を両手で押えることができるため、安定した状態（被検者が静止した状態）での体温測定が可能となり、測定誤差の発生を低減させることが可能となる。
【００４０】
６．検出素子収納体２１４の構成
上述したように、プローブ部１０１は先端に開口部が形成された中空筒状体により形成されており、先端の開口部近傍には、環境温度を検出する温度検出素子（例えば、サーミスタ）と、耳腔内の温度測定部位（鼓膜またはその周辺）から放射される赤外線を検出する赤外線検出素子（例えば、冷接点と温接点とからなるサーモパイル）とが収納された検出素子収納体２１４が固定されている。
【００４１】
図５は、検出素子収納体２１４の一部を破断して示した外観斜視図である。図５に示すように、検出素子収納体２１４は、取付け基部材５０３を備え、取付け基部材５０３上には、環境温度を検出する温度検出素子であるサーミスタ５０１と、耳腔内の温度測定部位から放射される赤外線を検出する赤外線検出素子５０２とが固定されている。
【００４２】
サーミスタ５０１は、使用環境温度である絶対温度を検出できるように調整されている。また、外気温度がサーミスタ５０１に伝達されるよう、取付け基部材５０３はアルミ材等の良熱伝導体により構成されており、かつ、サーミスタ５０１は、取付け面の表面積が大きくなるように取付け基部材５０３に固定されている。
【００４３】
更に、サーミスタ５０１には、電極リード５０７が取付けられており、検出温度は電極リード５０７を介して出力される。
【００４４】
一方、赤外線ＩＲを検出する赤外線検出素子５０２は、相対温度を検出するように調整されている。
【００４５】
本実施形態に係る耳式体温計１００では、赤外線検出素子５０２として、熱電対型（サーモパイル型）の検出素子を用いている。このため、図５に示すように、取付け基部材５０３の台座５０３ｂ上に固定されるウエハ担体５０２ｃ上には、花弁状に形成された温接点５０２ａと、冷接点５０２ｂとが形成される。
【００４６】
各温接点５０２ａと冷接点５０２ｂとは異種金属から形成され、かつ直列に接続されており、取付け基部材５０３に対して絶縁状態で固定された電極リード５０８に向かってリード線が接続されている。なお、温接点５０２ａで囲まれる範囲Ｈは、赤外線を吸収しやすくするために黒色塗装されている。
【００４７】
このような構成のもと、赤外線検出素子５０２では、各接点間において発生した起電力に基づいて、相対温度の検出を行う。
【００４８】
そして、耳式体温計１００では、被検者の体温を、温度検出素子により検出された検出温度に、赤外線検出素子により検出された検出温度を加えることで算出する。なお、この算出処理の詳細については、例えば特開平１１−１２３１７９号公報に詳しく記載されているので、ここでの詳細な説明は省略する。
【００４９】
更に、検出素子収納体２１４は、２つの検出素子を囲い込むように形成された筒状の容器部材５０５を備え、容器部材５０５は、外周面５０５ａと、孔５０４を有する天井面とから構成される。
【００５０】
容器部材５０５も取付け基部材５０３と同様にアルミ材、ステンレス材等の良熱伝導体から形成されており、外気温度がサーミスタ５０１に伝達されやすい構成となっている。また、孔５０４には赤外線を透過させるセラミック素材からなる窓部材５０６が固定されている。
【００５１】
なお、図５に示す検出素子収納体２１４の場合、取付け基部材５０３にはその縁部から半径方向に向かって外側鍔部５０３ａが延設されており、これにより検出素子収納体２１４は、プローブ部１０１の内壁に保持されることとなる。
【００５２】
７．耳式体温計１００の機能構成
次に耳式体温計１００の機能構成について図６を用いて説明する。図６は、耳式体温計１００の機能構成を示すブロック図である。なお、図６に示す構成または部品のうち、既に説明済みの構成または部品については同様の参照番号を附すこととし、ここでは詳細な説明は省略する。
【００５３】
図６に示すように、プローブ部１０１の検出素子収納体２１４に内蔵されたサーミスタ５０１は、電極リード５０７を介して実装基板上の増幅部６０５に接続されている。また、赤外線ＩＲを検出する赤外線検出素子５０２は、電極リード５０８を介して実装基板上の増幅部６０６に接続される。
【００５４】
実装基板上に配された制御部６０１には、ＣＰＵ６０２と記憶素子であるＲＡＭ６０３及びＲＯＭ６０４とが配されており、サーミスタ５０１により検出された検出温度と、赤外線検出素子５０２により検出された検出温度とに基づいて、被検者の体温の算出を行う。
【００５５】
また、制御部６０１には、ＬＥＤ素子２０５と、表示部２０１と、スピーカ２０４と、電源スイッチ２０２と、測定開始スイッチ２０３とがそれぞれ接続されている。
【００５６】
表示部２０１は、制御部６０１において算出された被検者の体温を表示する。また、測定開始スイッチ２０３が押圧操作された場合には、測定モードに移行したことを示す絵文字等のキャラクタを表示する。
【００５７】
ＬＥＤ素子２０５は、測定開始スイッチ２０３が押圧操作されると緑色に点灯し、被検者の体温の測定が完了すると、赤色に点灯する。スピーカ２０４は、測定開始スイッチ２０３が押圧操作された場合や、被検者の体温の測定が完了した場合に、音声を出力する。
【００５８】
なお、制御部６０１は、電源スイッチ２０２が押圧操作されることにより、ボタン電池６０８（電源部）からの電力供給を受けて動作するよう構成されているものとする。
【００５９】
８．体温測定処理の流れ
次に耳式体温計１００における体温測定処理の流れについて説明する。図７は、耳式体温計１００における体温測定処理の流れを示すフローチャートである。
【００６０】
電源スイッチ２０２が押圧操作されると、体温測定処理が開始され、ステップＳ７０１では、測定開始スイッチ２０３が押圧操作されたか否かを判定する。ステップＳ７０１において、測定開始スイッチ２０３が押圧操作されたと判定された場合には、ステップＳ７０２に進む。
【００６１】
ステップＳ７０２では、サーミスタ５０１及び赤外線検出素子５０２において検出された検出温度を取得する。
【００６２】
ステップＳ７０３では、ステップＳ７０２において取得された検出温度に基づいて、制御部６０１が被検者の体温を算出する。また、算出した被検者の体温を表示部２０１に表示する。
【００６３】
ステップＳ７０４では、制御部６０１において被検者の体温を算出する処理が完了したことを報知するために、ＬＥＤ素子２０５を赤色に点灯させる。また、スピーカ２０４より音声を出力し、体温測定処理を終了する。
【００６４】
以上の説明から明らかなように、本実施形態に係る耳式体温計１００では、装着部（１０２及び１０４）及び装着帯１０６、１０７を配し、測定者の指に装着できる構成とするとともに、装着時に測定者の指が接触する面１１１、１１２に指固定壁（規定部材）を設け、装着時の測定者の指の位置を規定する構成としたことで、耳式体温計１００の測定者の指への安定装着を実現した結果、測定者が、被検者の体温測定に際して、両手を使うことができるようになった。
【００６５】
また、耳式体温計１００が装着された場合であっても、測定者が指の第２関節を自由に折り曲げることができるよう固定部１０４の長さを規制したことにより、プローブ部１０１の耳腔内への挿入に際して、プローブ部１０１の先端の位置を微調整することができるようになった。
【００６６】
更に、耳式体温計１００を装着した際に、測定者の指の腹が、プローブ支持部１０２の面１１１上の、プローブ部１０１の支持位置と対向する位置において、面１１１に接触する構成としたことで、プローブ部１０１の先端が耳壁に接触する感覚を、測定者は指先で敏感に感じ取ることが可能となった。
【００６７】
更に、プローブ部１０１を、弾性を有する支持部材２１５を介してプローブ支持部１０２に固定し、プローブ部１０１に対して力が加わった場合に、プローブ部１０１が微小角度だけ傾くように構成した。これにより、被検者の耳孔の開口方向に対して、測定者によるプローブ部１０１の先端の挿入方向がずれていたとしても、当該ずれを修正することが可能となった。
【００６８】
この結果、耳式体温計において、被検者の耳腔内にプローブ部を的確かつ容易に挿入することが可能となった。
【００６９】
なお、上記説明では、プローブ部１０１がプローブ支持部１０２の開口部２１１より略直交する方向に突出するものとしたが、本発明はこれに限定されず、プローブ支持部１０２に対して斜めに突出するように構成してもよい。
【００７０】
また、上記説明では、プローブ支持部１０２の面１１１及び固定部１０４の面１１２は平面としたが、本発明はこれに限定されず、中央がくぼんだ曲面により形成してもよい。この場合、指の形状に一致することとなり、耳式体温計１００装着時の安定性がより向上することとなる。
【符号の説明】
【００７１】
１００・・・第１の実施形態に係る耳式体温計、１０１・・・プローブ部、１０２・・・プローブ支持部、１０３・・・指固定壁、１０４・・・固定部、１０５・・・指固定壁、１０６・・・装着帯、１０７・・・装着リング、１０８・・・装着帯、１１１・・・面、１１２・・・面、２０１・・・表示部、２０２・・・電源スイッチ、２０３・・・測定開始スイッチ、２０４・・・スピーカ、２０５・・・ＬＥＤ素子、２０６・・・面、２１１・・・開口部、２１２・・・プローブハウジング、２１３・・・プローブ底部、２１４・・・検出素子収納体、２１５・・・支持部材、２１６・・・接続部、２２０・・・薄肉部位、５０１・・・サーミスタ、５０２・・・赤外線検出素子、５０２ａ・・・温接点、５０２ｂ・・・冷接点、５０２ｃ・・・ウエハ担体、５０３・・・基部材、５０３ａ・・・外側鍔部、５０３ｂ・・・台座、５０４・・・孔、５０５・・・容器部材、５０５ａ・・・外周面、５０６・・・窓部材、５０７・・・電極リード、５０８・・・電極リード
【図１】
2012073096.tif 000003
【図２Ａ】
2012073096.tif 000004
【図２Ｂ】
2012073096.tif 000005
【図３】
2012073096.tif 000006
【図４】
2012073096.tif 000007
【図５】
2012073096.tif 000008
【図６】
2012073096.tif 000009
【図７】
2012073096.tif 000010
【図８】
2012073096.tif 000011